(57)【特許請求の範囲】
【請求項１】
可撓性を有するシートからなり且つ流動性内容物を収容する容器本体（１）に挿入される導通部（１３）と、前記容器本体（１）の上縁部（１０）に密封状に取付けられる取付け部（１２）と、該取付け部（１２）よりも上方に突出する口部（１５）とを備えた取出口具において、
前記取付け部（１２）は、容器本体（１）の上端に上方から当接するフランジ部（１６）と、容器本体（１）の上縁部（１０）に固着される容器本体（１）の幅方向の両側に次第に先細りとなる流線形に形成された接合部（１７）とからなり、
前記導通部（１３）は、前記取付け部（１２）及び口部（１５）に形成された流通孔（２４）に連通する開口（１９）を形成すべく、前記接合部（１７）の先細りとなる流線形に形成された両側のみから下方に延設された一対の連結部（２０）と、両方の連結部（２０）から更に延設された導入板部（２１）と、導入板部（２１）の両面から突設されたリブ（２３）とからなり、
両方のリブ（２３）は、その少なくとも上部側に、取付け部（１２）に向けて幅が広くなる方向に傾斜する部分を有することを特徴とする取出口具。
【請求項２】
可撓性を有するシートからなり且つ流動性内容物を収容する容器本体（１）と、該容器本体（１）に取り付けられる請求項１に記載の取出口具（３）とを備えることを特徴とする取出口具付き容器。
【発明の詳細な説明】
【０００１】
【発明の属する技術分野】
本発明は、例えばスポーツ飲料や果汁飲料、流動性食品等、液状、ゾル状、又はゲル若しくは固形物を含む液状の内容物を充填し、飲料用、医療用等で使用するための容器に使用される取出口具及び取出口具付き容器に関する。
【０００２】
【従来の技術】
従来、例えば、スポーツ飲料や果汁飲料等の各種の液体（内容物）が充填され、必要に応じて取り出せるようにした容器が公知である。かかる容器は、図９に示す如く可撓性を有する袋状のシート５０からなる容器本体５１と、該容器本体５１内に充填された流動性内容物を取り出すための筒状の取出口具５２とを備えたものである。
【０００３】
取出口具５２は、上記容器本体５１の上縁部５４を熱融着により封着（シール）する際に、同時に挟持される取付け部５５と、該取付け部５５より容器本体５１内に延設された断面十字状に形成された導通部５６と、取付け部５５から上方に突設された口部５７とが合成樹脂により一体に成型されたものである。そして、口部５７にはその開口を閉塞するキャップ５８が着脱自在に螺合されている。
【０００４】
【発明が解決しようとする課題】
前記取出口具５２は、取付け部５５に連接する導通部５６の上端部が断面十字形状であるため、内容物の充填時（特にゼリー等のゲル状流動物）に流れを阻害すると共に、ゼリー等を排出（取り出し）するときに、内容物は導通部５６により細かく砕かれやすいため、食感が悪くなる欠点があった。
【０００５】
そこで、導通部５６にリブを設けない取出口具５２も考えられるが、かかる取出口具５２の場合には、内容物が少なくなると容器本体５１が偏平状となるため、流通路を確保できなくなるおそれがある。
【０００６】
また、上記取出口具５２を容器本体５１の上縁部５４にシールするに際にしては、図１０に示す如く容器本体５１のシート片５０ａ，５０ｂを吸引手段６０により、両側から吸引することにより、容器本体５１の上縁部５９を所定の間隔まで開口させ、開口された上縁部５９から取出口具５２を挿入している。
【０００７】
しかしながら、前記吸引手段６０は、上縁部５９にシール部分を確保すること等の理由から容器本体５１の上縁端を吸着できないため、容器本体５１の吸引手段６０よりも上の部分は、容器本体５１の内側に湾曲するおそれがある。
【０００８】
導通部５６及び取付け部５５を容器本体５１に挿入する際に、湾曲した容器本体５１の上端が取付け部５５の下端面に引っ掛かってしまうおそれもある。この結果、上縁部５９が内側に巻き込まれた状態で熱シールされる場合があり、シールが確実に行えないという問題がある。
【０００９】
そこで、本発明は上記問題を解決すべくなされたもので、内容物がゼリー等であっても可及的に砕くことなく吸引でき、しかも内容物の充填を容易に行え、取出口具を容器本体に挿入する際に、容器本体の上縁部に取付け部が引っ掛かることなく、スムーズに挿入でき、上縁部を確実にシールすることができるようにすることを課題とする。
【００１０】
【課題を解決するための手段】
本発明は、上記課題を解決すべく取出口具及び取出口具付き容器としてなされたものであり、取出口具としての特徴は、可撓性を有するシートからなり且つ流動性内容物を収容する容器本体１に挿入される導通部１３と、前記容器本体１の上縁部１０に密封状に取付けられる取付け部１２と、該取付け部１２よりも上方に突出する口部１５とを備えた取出口具において、前記取付け部１２は、容器本体１の上端に上方から当接するフランジ部１６と、容器本体１の上縁部１０に固着される容器本体１の幅方向の両側に次第に先細りとなる流線形に形成された接合部１７とからなり、前記導通部１３は、前記取付け部１２及び口部１５に形成された流通孔２４に連通する開口１９を形成すべく、前記接合部１７の先細りとなる流線形に形成された両側のみから下方に延設された一対の連結部２０と、両方の連結部２０から更に延設された導入板部２１と、導入板部２１の両面から突設されたリブ２３とからなり、両方のリブ２３は、その少なくとも上部側に、取付け部１２に向けて幅が広くなる方向に傾斜する部分を有していることにある。
【００１１】
そして、取出口具を互いに所定間隔を有するように開口された容器本体１の上縁部１０に挿入する際に、傾斜するリブ２３は、上縁部１０を開口する方向に案内することとなり、上縁部１０は取付け部１２よりも外側に拡げられるため、取付け部５が上縁部１０に引っ掛かるのを防止することができ、取出口具を所定の位置までスムーズに挿入することができる。
尚、取出口具の上下方向とは、取出口具を容器本体に取り付けた際に、取出口具が上部に位置するように容器本体を正立させた状態での方向をいう。また、先端が取付け部１２に向けて幅が広くなる方向に傾斜する部分とは、取出口具を容器本体１に挿入する際に、リブ２３が容器本体１の上縁部１０を広げて、取出口具が上縁部１０に引っ掛からないようにする部分をいう。
【００１２】
しかも、内容物は、開口１９を介して取付け部１２及び口部１５に入るので、導通部１３により細かく砕かれることない。また、取出口具を介して内容物を充填する際には、内容物は開口１９を介して容易に容器本体１内に充填できる。
【００１３】
また、取出口具付き容器としての特徴は、可撓性を有するシートからなり且つ流動性内容物を収容する容器本体１と、該容器本体１に取り付けられる請求項１に記載の取出口具３とを備えることにある。かかる場合には、内容物の残量が少なくなり容器本体１が偏平状となっても、開口１９及び容器本体１内部を連通することができる。
【００１４】
【発明の実施の形態】
以下、本発明の一実施の形態を図面を参照しながら説明する。
図１乃至図７は本発明の一実施の形態を示し、図４において、１は可撓性を有するシート体２を上方開口の袋状に形成してなる容器本体で、該容器本体１の上縁部１０には、該容器本体１内に充填されているスポーツ飲料や果汁飲料等の液体（内容物）を取り出すための取出口具３が取り付けられている。
【００１５】
シート体２は可撓性を有するものであればその材質は特に限定されるものではないが、例えばポリエステルやポリアミド等の合成樹脂フィルムとアルミホイルとの積層フィルムが、内容物の保存性に優れており好ましい。また、該積層フィルムの最内層は熱融着性樹脂より形成されている。
【００１６】
また、シート体２は、一対の表裏シート片５ａ，５ｂと、両方の表裏シート片５ａ，５ｂの縦縁部６に両縁部がシールされ且つ容器本体１の内側に折り込まれたガセット用シート片８ａ，８ｂとからなる。
【００１７】
前記取出口具３は、上記容器本体１の上縁部１０をシールする際に、同時に挟持される取付け部１２と、該取付け部１２より容器本体１内に延設された導通部１３と、取付け部１２から上方に突設された口部１５とが合成樹脂により一体に成形されたものである。尚、口部１５にはその開口を閉塞するキャップ９が着脱自在に螺合される。
【００１８】
取出口具３を形成する合成樹脂は、前記積層フィルムの内面と熱融着性を有するものであり、例えばポリエチレンやポリプロピレンが使用できる。特に、積層フィルムの最内層と取出口具３の両方を直鎖状低密度ポリエチレンより形成した場合、密封性、強度性に優れるため好ましい。
【００１９】
前記取付け部１２は、容器本体１の上端に上方から当接する平面視略矩形状のフランジ部１６と、容器本体１の上縁部１０に固着される筒状の接合部１７とからなる。前記接合部１７の外周面はシート体の上縁部１０が間隙なく互いに密着するように、容器本体１の幅方向の両側に次第に先細りとなる流線形に形成されている。
【００２０】
前記導通部１３は、前記接合部１７から下方に延設された一対の連結部２０と、両方の連結部２０から更に延設された導入板部２１と、該導入板部２１から直角方向（表裏シート片５ａ，５ｂ方向）にそれぞれ突設されたリブ２３とからなる。
【００２１】
前記連結部２０の間には、取付け部１２及び口部１５に形成された流通孔２４に連通する開口１９が形成され、両方の連結部２０は、下方に向けて幅方向両側に広がる形状となっている。従って、連結部２０の上端は、接合部１７の両端よりも内側に連結され、接合部１７の先端（下端）と連結部２０により切欠部２２が形成されている。
【００２２】
前記導入板部２１は、その上端（連結部２０との接続部分）の幅が最大となっており、下方（先端）に向けて次第に先細り状になっている。尚、導入板部２１の最大幅は、接合部１７の両端長さと略等しくなっている。尚、ここで、容器本体（１）のガセット用シート片８ａ，８ｂの折り目の先端が、連結部２０又は導入板部２１の最大幅部（導入板部２１と連結部２０との接続部分）の近くとなるように、内側に折り込まれる。
【００２３】
前記リブ２３の上端は、導入板部２１の上面（開口１９の周面）と等しくなっている。また、図２に示す如くそれぞのリブ２３の先端面２３ｂは上方（取付け部１２側）に向けて互いに幅が広くなるテーパー状に形成された幅広傾斜面２３ｃと、前記導入板部２１の上面に連接する幅狭傾斜面２３ｄとからなり、リブ２３の幅広傾斜面２３ｃの延長線Ｌの範囲α内に、取付け部１２が入るようになっている。
【００２４】
本実施の形態は以上の構成からなり、次に上記容器を製造する場合について説明する。前記容器本体１は製袋機等により、筒状で且つ長尺状のシートから製造されるのであるが、かかる容器本体１は、図３及び図５に示す如く上縁部１０が、開口手段２５の吸引により開口された状態で搬送される。尚、かかる開口手段２５は、容器本体１の表裏シート片５ａ，５ｂの上部を残した位置を吸着する。
【００２５】
一方、取出口具３は、図示省略の吊り下げ手段により、フランジ部１６を係止して吊り下げられながら搬送される。そして、上縁部１０が開口された容器本体１と取出口具３とが互いに接近し、取出口具の導通部１３の先端が、容器本体１に挿入さる。導通部１３のリブ２３は、先端面２３ｂがテーパー状に形成されていることから、仮に、容器本体１の上縁部１０が内側に湾曲した場合や容器本体１と取出口具３との相対位置が若干ずれていた場合であっても、リブ２３が案内手段となって上縁部１０を拡げながら導通部１３は容器本体１内に挿入されていく（図５参照）。
【００２６】
そして、上縁部１０は、取出口具の接合部１７の直径より外方向に拡げられるため、取出口具３が容器本体１の上縁部１０に引っ掛かることなく、接合部１７が容器本体１の上縁部１０に対応する位置までスムーズに挿入される。
【００２７】
更に、ヒートシーラ２７により、容器本体１の上縁部１０は、取出口具３の接合部１７と共に熱シールされる。このとき、容器本体１の上縁部１０は、内側に折り込まれたりしないことから、シール状態が確実なものとなる。そして、前記容器本体１に内容物を充填する際には、取出口具３の口部１５から内容物を容器本体１内に充填し、充填後にキャップ９を口部に螺合して口部１５を閉塞する。尚、充填時には、流通孔２４に連通する開口１９が形成されているため、スムーズに充填できる。
【００２８】
次に、液体の取り出しに際して取出口具３を吸引具として使用する場合には、キャップ９を外した後に、口部１５から吸い込むと、該容器本体１は可撓性を有することから表裏シート片５ａ，５ｂが接近することにより、容器本体１内の液体を吸い上げることができる。また、内容物がゼリーの場合にも、開口１９が設けられているため、ゼリーが砕けにくく、好ましい食感を維持して吸引（飲食）することができる。更に、果肉等の粒状固形物を有する内容物の場合にも、スムーズに吸引できる。
【００２９】
容器本体１内の残量が更に少なくなり、容器本体１が収縮変形した場合でも、容器本体１内面が、導入板部２１及びリブ２３のそれぞれの先端面に当接し、容器本体１、導入板部２１及びリブ２３の間に吸引用流路を構成することができるので、内容物は、この吸引用流路を通過して口部１５に導出される。
【００３０】
更に、容器本体１内の内容物の残量が少なくなると、図７に示す如く容器本体１は偏平状態（ガセットが折り込まれて密着した状態）となり、このとき残液の一部は、ガセットの折り目の先端に残った狭い空間を吸い上げられるが、導入板部２１の最大幅部分（接合部１７の両側は次第に先細りとなる流線形に形成されているにもかかわらず、所定の肉厚を有する部分）が形成されているため、該部分とガセットの折り目の先端との間を介して内容物を吸い上げることができ、比較的流動性の低いわずかな内容物であっても吸い上げ性が良い。
【００３１】
また、取出口具３を注ぎ口として使用する場合には、口部１５が下向きとなるように、容器本体１を傾斜又は反転させることにより、内容物は前記開口１９及び口部１５を介して流出させることができる。
【００３２】
本発明は上記実施の形態に限定されるものではなく、例えば図８（ａ）に示す如く導通部１３の開口１９の形状は、半円形であってもよい。また、リブ２３は全長にわたって傾斜させる必要はなく、同図（ｂ）に示す如くリブ２３の上部側を傾斜させるようにしても良い。
【００３３】
また、図８（ｃ）及び（ｄ）に示すように導入板部２１に幅広部を全長にわたって設けると共に、その両側に突出リブ２１ａを形成して前記図７の状態における残液の吸い上げ性を良くしたものでも良い。
【００３４】
更に、前記リブ２３の先端面２３ｂは直線のテーパー状に形成されていたが、かかる先端面２３ｂは、凸状に湾曲したり、凹凸状であっても良く、取出口具を容器本体１に挿入する際に、リブ２３が容器本体１の上縁部１０を広げて、取出口具が上縁部１０に引っ掛からないようになっておれば良い。
尚、前記しかも、前記取出口具３を取り付ける容器本体１は、必ずしもガセットを備えている必要はない。
【００３５】
【発明の効果】
以上のように本発明の取出口具の前記導通部は、前記取付け部及び口部に形成された流通孔に連通する開口を形成すべく、前記取付け部から下方に延設された一対の連結部と、両方の連結部から更に延設された導入板部と、導入板部の両面から突設されたリブとからなり、両方のリブは、その先端が取付け部に向けて幅が広くなるテーパー状に傾斜する部分を有し、傾斜するリブの先端の延長線の範囲内に、取付け部及び口部が入いっているので、取出口具を容器本体の上縁部に挿入する際に、上縁部に取付け部が引っ掛かることなく、取出口具を所定の位置までスムーズに挿入することができ、取出口具と容器本体の上縁部のシール状態を確実にできる利点がある。
【００３６】
しかも、開口を介して内容物を細かく砕くことなく吸引でき食感も良好となると共に、内容物の充填を容易に行える利点がある。
【図面の簡単な説明】
【図１】本発明の取出口具の第一実施形態における一部破断を含む正面図。
【図２】同取出口具の断面側面図。
【図３】同容器本体に取出口具を挿入する状態の斜視図。
【図４】容器の正面図。
【図５】容器本体に取出口具を挿入する状態の要部断面側面図。
【図６】容器本体に取出口具をシールした状態の要部断面側面図。
【図７】要部を示す断面平面図。
【図８】本発明の他の実施の形態を示し、（ａ）は取出口具の正面図、（ｂ）は同断面図、（ｃ）は取出口具の正面図、（ｄ）は（ｃ）のＡ−Ａ線矢視断面図。
【図９】従来例を示す一部破断を示す全体斜視図。
【図１０】同要部を示す断面側面図。
【符号の説明】
１…容器本体、１２…取付け部、１３…導通部、１５…口部、１７…接合部、２０…連結部、２１…導入板部、２２…切欠部、２４…流通孔、Ｌ…延長線、α…範囲
【図１】
0004109375.tif 000002
【図２】
0004109375.tif 000003
【図３】
0004109375.tif 000004
【図４】
0004109375.tif 000005
【図５】
0004109375.tif 000006
【図６】
0004109375.tif 000007
【図７】
0004109375.tif 000008
【図８】
0004109375.tif 000009
【図９】
0004109375.tif 000010
【図１０】
0004109375.tif 000011